(57)【要約】【課題】  吐出口を有する接着剤用ケース内に収納された包袋を突き破る作業が、ノズルを取り付けるという１つの操作のみで簡便かつ確実に完結し、接触や怪我などの危険性が無く、接着剤の吐出に際して作業性の良い接着剤用ケースを目的とする。【解決手段】  ノズル１０を装着し得る吐出口２が上端に突設され、かつ内部に接着剤１３が充填された包袋４を収納し得る筒状の接着剤用ケース１であって、該包袋４を破断し得る刃状部品６が該吐出口２の内底部に収納されており、該刃状部品６の一端には押し棒８が連設されており、該押し棒８の上部が吐出口２の上端開口部から露出して構成された接着剤用ケースの構造である。【選択図】      図１
2005320017.tif 000002
【特許請求の範囲】
【請求項１】
ノズルを装着し得る吐出口が端部に設けられかつ内部に接着剤が充填された包袋を収納し得る中空のシリンダーよりなる接着剤用ケースに於て、前記包袋を突き破ることが可能な刃状部品が該吐出口の内底部に収納されており、該刃状部品の一端に連設された押し棒の先端が前記吐出口の開口部に露出して構成されていることを特徴とした接着剤用ケース。
【請求項２】
前記刃状部品の外形面積が前記吐出口の断面積より大きく形成されていることを特徴とした請求項１の接着剤用ケース。
【請求項３】
前記シリンダーの吐出口に前記ノズルを装着した際に、該ノズルが吐出口の開口部に露出した押し棒を押して刃状部品を移動させて前記包袋を破断させることを特徴とした請求項１或は請求項２の接着剤用ケース。
【請求項４】
前記刃状部品が破断された包装の破断片を押えて前記吐出口内に入り込むことを防止していることを特徴とした請求項１乃至請求項３の接着剤用ケース。
【発明の詳細な説明】
【技術分野】
【０００１】
本発明は、接着剤が充填された包袋を簡単な操作で破袋して吐出口より取り出すことが出来る接着剤用ケースに係り、特に該吐出口にノズルを装着することによって、吐出口の内底部に収納した刃状部材で前記包袋を破袋して接着剤を取出すことが出来る接着剤用ケースに関するものである。
【背景技術】
【０００２】
従来より、接着剤として多種にわたる有機系物質や無機系物質が使用されており、例えば特開平６−３２１２５８号公報（特許文献１）に示す如く、製品形態も使用後の廃棄物量の削減や環境への配慮のために、複合フィルムより成る包袋状のフィルムや金属を含むラミネートフィルム製の折り畳み可能なチューブ等が使用されている。
【０００３】
１液性の接着剤に関して、このような可とう性を有する貯蔵形態の接着剤は、場合によっては、専用のケースに装填して、コーキングガンなどのディスペンサーによって接着剤を吐出して使用されている。接着剤の吐出を行う際には、接着剤の充填された包袋状のフィルムの一端を、カッターナイフや針金、千枚通し、キリ等のような鋭利なもので突き破るか、あるいは切断して、はじめて接着剤の吐出が可能となる。
【０００４】
また、最近ではノズルの一端を鋭利な円筒形状に突き出し、手を汚すことなく、ノズルを取り付ける動作のみで、包袋の突き破りを完結させるという接着剤用ケースが既に実用化されている。
【０００５】
２液性の接着剤に関しても、主剤と硬化剤を所定の容量比で貯蔵し、使用時には主剤と硬化剤を吐出せしめ、混合させるための包袋状のフィルムやケース、２液性接着剤専用のディスペンサー、吐出口に取り付けるスタティックミキサー等のノズルが既に実用化されている。特に、建築、土木関係の用途に関しては、従来の２液性の接着剤をあらかじめ混合、撹拌することなく、人体への付着や接触等による悪影響を低減化できるものとして、注目されている。
【０００６】
この２液性接着剤用の包袋やケースは、主剤と硬化剤を分離した状態で貯蔵、輸送される。接着剤の使用時にはディスペンサーのプランジャーが、ケースに装填されたピストンを押すことにより、２液をそれぞれ吐出口まで独立、分離した状態で押し出し、スタティックミキサーにて均一に混合することによって硬化反応が起きる。２液性接着剤に関しても、主剤と硬化剤の吐出を行う際に、接着剤の充填された包袋状のフィルムの一端を、カッターナイフや針金、千枚通し、キリ等のような鋭利なもので突き破るか、あるいは切断するという作業が行われる。
【０００７】
さらに、近年においては、ディスペンサーでピストンが押されることにより、接着剤の充填された包袋状のフィルムが膨らもうとする作用を利用して、吐出口の底部に設けられた突起物が包袋を突き破り、吐出を可能とするといったケースも実用化されており、作業性が良好で、接触などの危険性の少ないものとして注目されている。
【０００８】
また、例えば実開平１０−９４（特許文献２）に示す如く、異なる２種類の接着剤を別々に収納し得る２個の円筒容器の底部分に、圧力によって除去可能な切除部分を設け、一方でこれ等の２個の円筒の底部に装着し得る放出ノズルの内面に前記切除部分を押圧して切除し得るエゼクターを設け、放出ノズルを円筒に取付けることによって、切除部分を切除して２個の円筒内の接着剤を放出ノズルにより取り出すことが出来るようにした技術も知られている。
【０００９】
【特許文献１】特開平６−３２１２５８号公報
【特許文献２】実開平１０−９４
【発明の開示】
【発明が解決しようとする課題】
【００１０】
しかしながら、上記のような接着剤の充填された包袋状のフィルムを突き破り、接着剤の吐出を可能とする方法として、針金やカッターナイフのような鋭利なものを使用する場合、作業工程が増えるばかりか、突き破る際に手を汚したり、怪我をする危険性があった。
【００１１】
また、ノズルの一端を鋭利な円筒形状に突き出し、ノズルを取り付ける動作のみで包袋の突き破りを完結させるという方法は、吐出口の断面積以上に包袋を突き破ることができず、突き破った後の包袋片が、吐出口方向に入り込むことで接着剤の吐出抵抗が大きくなり、吐出性、すなわち作業性を悪化させるという問題があった。
【００１２】
さらに、吐出口底面の突起物により、フィルム状の包袋を突き破る方法に関しては、ピストンからの力により、包袋を破るという原理に依存しているため、確実に突き破ることができず、包袋の形状や材質によっては、吐出部位で破ることが出来ずに、包袋が所定の部位以外で破裂してしまい、接着剤用ケース内を汚染してしまうといった問題や、包袋が突起物によって突き破れたとしても、破れた部位の断面積は吐出口の断面積以上にはならず、ひいては吐出抵抗が大きくなり、作業が困難になるといった問題もあった。
【００１３】
そのため、包袋状のフィルムに充填された接着剤を装填して用いる接着剤用ケースとして、刃物で突き破るなどの余計な作業をすることなく確実に該包袋を突き破り、しかも人体への接触や怪我などの危険性が無く、かつ突き破った包袋の開口面積が吐出口の断面積よりも大きく、吐出抵抗が少なく作業性の良い接着剤用のケースの出現が切に望まれていた。
【００１４】
さらに、前述の特許文献２に記載された技術は、接着剤が円筒容器に収納されている場合には有効であるが、前述の特許文献１に示すようなプラスチック材等の複合フィルム或はアルミ箔等の金属を含むラミネートフィルムを用いて製造した包袋の中に収納した接着剤の場合には、この技術は使用することが出来ない問題があった。
【００１５】
本発明に係る接着剤用ケースは、前述の従来の多くの問題点に鑑み全く新規に開発された技術であって、特に、包袋状のフィルムに充填された接着剤を装填して用いる接着剤用ケースにおいて、吐出口における該包袋状のフィルムの突き破り作業が、ノズルを取り付けるという１つの作業だけで簡便かつ確実に完結し、接触や怪我などの危険性が無く、さらに突き破った該包袋の開口部が該吐出口の断面積よりも大きく、開口部の実質的な面積が維持され、接着剤の吐出に際して作業性の良い接着剤用ケースを提供することを目的としたものである。
【課題を解決するための手段】
【００１６】
前記目的を達成するための本発明に係る第１発明の接着剤用ケースは、ノズルを装着し得る吐出口が端部に設けられかつ内部に接着剤が充填された包袋を収納し得る中空のシリンダーよりなる接着剤用ケースに於て、前記包袋を突き破ることが可能な刃状部品が該吐出口の内底部に収納されており、該刃状部品の一端に連設された押し棒の先端が前記吐出口の開口部に露出して構成されていることを特徴とした接着剤用ケースである。
【００１７】
また、接着剤用ケースの第２発明は、前記刃状部品の外形面積が前記吐出口の断面積より大きく形成されていることを特徴とした第１発明の接着剤用ケースである。
【００１８】
また、接着剤用ケースの第３発明は、前記シリンダーの吐出口に前記ノズルを装着した際に、該ノズルが吐出口の上端開口部に露出した押し棒を押し下げて刃状部品を移動させて前記包袋を破断させることを特徴とした第１発明或は第２発明の接着剤用ケースである。
【００１９】
また、接着剤用ケースの第４発明は、前記刃状部品が破断された包装の破断片を押えて前記吐出口内に入り込むことを防止していることを特徴とした第１発明乃至第３発明の接着剤用ケースである。
【発明の効果】
【００２０】
本発明に係る第１発明の接着剤用ケースは、前述のような構成と作用とを有するので、接着剤が充填された包袋をシリンダーよりなる接着剤用ケースに収納し、シリンダーに設けられた吐出口にノズルを装着することによって、ノズルによって押されて移動する吐出口内に設けられた押し棒と、この押し棒に連設された刃状部品によって前記包袋を破断して、接着剤をノズルより取り出すことが出来る。従って、接着剤の取り出し作業が極めて簡単であり、しかも接着剤用ケースは繰り返し使用出来るので経済的である。
【００２１】
本発明に係る第２発明の接着剤用ケースは、前記刃状部品の外形面積を吐出口の断面積より大きくしたので、前記包袋を巾広く破断し、包袋の破断片が吐出口を閉鎖することを防止すると共に、包袋内の接着剤を残らず取り出すことが出来る。
【００２２】
本発明に係る第３発明の接着剤用ケースは、ノズルをシリンダーの吐出口に装着することによって、吐出口の押し棒を押して刃状部品を移動させて包袋を破断させて包袋内の接着剤を取り出すことが出来る。
【００２３】
本発明に係る第４発明の接着剤用ケースは、包袋を破断した刃状部品で破断片をそのまま押えて破断片が吐出口に入り込んで吐出口を閉鎖することを防止出来る。
【発明を実施するための最良の形態】
【００２４】
本発明に係る接着剤用ケースの一実施例を図により説明する。図１は本発明に係る接着剤用ケースの要部の断面説明図、図２は接着剤用ケース内に収納された接着剤を取り出す状態の要部の断面説明図である。
【００２５】
図１及び図２に於て、１は接着剤用ケースであって、中空シリンダーより形成されており、かつその上部には吐出口２が起立突設されている。吐出口２の外周には螺旋状のネジ３が設けられている。この中空シリンダーよりなる接着剤用ケース１は下部（底部）が開放されており、この下部より接着剤１３が充填された包袋４を自由に出し入れすることが出来るように構成されている。該包袋４の開口部はリングによって閉鎖されてクリップ部５を形成している。
【００２６】
接着剤用ケース１の下部（底部）にはプランジャーに取り付けられたピストン（図示せず）が挿入されており、該プランジャーを押し引きすることによって、ピストンがシリンダー内で往復移動出来るように構成されている。
【００２７】
前記吐出口２は図に示す如く、接着剤用ケース１の天井部に連通されており、かつこの吐出口２の内底部には、後述の刃状部品６を収納するための巾広の収納凹所７が設けられている。また、接着剤用ケース１の天井部中央には、前記包袋４のクリップ部５を納めることが出来る天井凹所７ｂが設けられている。
【００２８】
前記吐出口２の内底部の収納凹所７内には、刃状部品６がほぼ水平方向に収納されている。この刃状部品６の元部下面には先端が鋭角に形成された切刃６ａが突設されている。該刃状部品６の元部上面には押し棒８が連設されている。両者の連設部には刃状部品６の動きをなめらかにするためのＶ状切り込み９が設けられている。
【００２９】
また、前記収納凹所７の一部には、刃状部品６の先端部を嵌入し得る嵌入凹所７ａが設けられている。刃状部品６の元部に連設された押し棒８は吐出口２内に挿通され、かつその押し棒８の上端は所定の長さで吐出口２の上端より露出されている。
【００３０】
１０は前記吐出口２に装着し得るノズルであって、その内底部には吐出口２のネジ３と螺合し得るネジ１１が設けられている。このノズル１０の通路は吐出口２の通路より小径に形成されている。従って、前記ネジ１１が設けられた内底部と通路の下端とには巾広の水平段差１２が形成されている。
【００３１】
次に、包袋４内に収納された接着剤を接着剤用ケース１より取り出すに当っては、図２に示すように、包袋４を接着剤用ケース１内に収納し、ネジ３、１１を利用してノズル１０を吐出口２に螺合して装着すると、ノズル１０の前記水平段差１２が押し棒８の上端に当接されて押し棒８を押し下げ、この押し棒８の下端に連設された刃状部品６の元部を下降させて、刃状部品６の切刃６ａで包袋４の背部を巾広く切断し、包袋４内の接着剤１３を流出させて、接着剤１３を吐出口２を介してノズル１０の先端より注出させることが出来る。
【００３２】
前述のように刃状部品６と押し棒８との連設部にはＶ状切り込み９が設けられているので、押し棒８がノズル１０によって押圧されると、刃状部品６の元部は嵌入凹所７ａに嵌入されている先端部を支点としてスムーズに大きく回動して包袋４を巾広く破断させることが出来る。
【００３３】
かつ、押し棒８はノズル１０によって常時押圧されているので、刃状部品６はそのままの状態で固定され、これによって包袋４の破断片４ａを刃状部品６によって押さえて、破断片４ａが吐出口２の通路に侵入して、吐出口２を閉鎖することを防止出来る。
【００３４】
また、接着剤用ケース１の底部に挿入された図示しないピストンをプランジャーで移動させることによって、接着剤用ケース１内の包袋４に充填されている接着剤を徐々にノズル１０より注出して、残らず効率良く取り出すことが出来る。接着剤用ケース１内に収納された包袋４の接着剤を全部残らず取り出した後は、接着剤用ケース１内に新しい包袋４を入れ替えることによって同様に接着剤１３を取り出すことが出来る。
【００３５】
本発明における接着剤用ケース１は、ノズル１０の取り付け作業に付随して、吐出口２に沿って設けられた押し棒８を介して、実質的に包袋４の形状に実質的に沿った刃状部品６で、包袋４のフィルムを吐出口２の断面積より大きく突き破ることを特徴としているので、種々の形状を持った刃状部品６の大きさは、包袋４を破る有効面積が吐出口２の断面積以上に成るように設計することが好ましい。
【００３６】
包袋４を破る開口径の有効面積が吐出口２の断面積以下では、接着剤１３の吐出抵抗が大きくなり、作業性の低下を招く。この有効面積が吐出口２の断面積以上になると、吐出の抵抗が最も低くなるが、あまりにも大きいと包袋４を突き破るための刃状部品６も大きくなり、接着剤用ケース１に収まらなくなる。好適には、吐出口２の断面積の１．１〜４倍であり、１．５〜２．５倍が最適な設計値となる。
【００３７】
本発明における刃状部品６の態様は、包袋４の形状に実質的に沿うように設計することが重要であり、例えば、包袋４の端部がソーセージ形状の場合、刃状部品６は、面方向に丸み部分、すなわち、略球状の曲面を有する板状の部品として形成することが好ましい。このように刃状部品６は、包袋４の形状により、様々な形状の成形部品を形成することが出来る。刃状部品６の一部または周囲全体に、鋭利な刃状な部位を形成することが可能であり、先端が尖りやすい略三角形や多角形の形状が好ましい。
【００３８】
刃状部品６の材質としては、様々な種類が使用可能であり、金属、プラスティック、繊維補強プラスティック、セラミック等が挙げられるが、経済性を考慮して補強プラスティックが好ましく、炭素繊維入りの射出成形プラスティックが最適である。本発明における刃状部品６は接着剤１３の充填された包袋４と吐出口２の底面の間にあることが必須であり、吐出口２に取り付けても包袋状のフィルムに取り付けても構わない。
【００３９】
また、本発明における刃状部品６は、部品全体が包袋４に押し込まれる構造をとっても良いが、一端を支点として固定し、他の一端が包袋４に押し込まれるような構造をとっても良い。しかしながら、該部品が押し込まれる際の、ストロークを大きくするためには、てこの原理を利用して、一端を固定し、支点に近い部分を押し棒８で押すように配置させる構造が好ましい。また、本発明における刃状部品６は、一度突き破ったフィルムの破断片４ａを吐出口２に入り込むのを防ぐ蓋の役割も発揮する。
【００４０】
本発明におけるノズル１０の取り付け動作と連動して、刃状部品６を押す作用を有する押し棒８は、吐出口２に沿って配備されることが必須であるが、吐出口２の何処に配置されても構わない。しかしながら、上述のように刃状部品６を包袋４に押し込み、突き破るストロークを大きくするためには、該成形部品の支点に近い部分を押すように吐出口２に配置させることが好ましい。
【００４１】
また、該押し棒８と該刃状部品６は、一体化していても良く、この際には動作をなめらかにするために、該押し棒８と該成形部品６の結合部に切り込み等を設けることも可能である。本発明における押し棒８の形状は特に制限を受けるものではないが、略円柱状や板状の角柱形状、円弧柱状が好ましい。円柱の場合は、直径１〜５mm好ましく、より好ましくは２〜３mmである。板状の場合は、厚みが１〜３mm、幅が２〜５mmが好適である。
【００４２】
円弧柱状では、吐出口２の曲面に沿うように設計することが好ましい。該押し棒８の長さについては、ノズル１０と本発明における刃状部品６が該押し棒８を介して連動する長さであれば、何ら制約を受けるものではない。
【００４３】
ただし、ノズル１０を取り付けた際に、本発明における刃状部品６が、接着剤１３の充填された包袋４を突き破り、ノズル１０との間隔を維持する、いわゆる支え棒の役割を発揮出来るように、長さを調整することが重要である。該押し棒８の材質としては、様々な種類が使用可能であり、金属、プラスティック、繊維補強プラスティック、セラミック等が挙げられるが、経済性を考慮して補強プラスティックが好ましく、炭素繊維入りの射出成形プラスティックが最適である。
【００４４】
本発明における包袋４を形成するフィルムの材質としては、あらゆるものが使用可能であり、低密度ポリエチレン、中密度ポリエチレン、高密度ポリエチレン、非延伸ポリプロピレン、二軸延伸ポリプロピレン、ポリ塩化ビニリデン、ポリ塩化ビニリデンコート二軸延伸ポリプロピレン、延伸ナイロン６、非延伸ナイロン６、ポリ塩化ビニリデンコートナイロン６、延伸ナイロン６６，非延伸ナイロン６６、ポリ塩化ビニリデンコートナイロン６６、ポリエチレンテレフタレート、ポリ塩化ビニリデンコートポリエチレンテレフタレート等が挙げられ、これらは単独または複数のラミネートフィルムとして使用出来る。
【００４５】
単独で用いる場合は、押し出し成形によるシームレスチューブや、フィルムをヒートシーラー等で封筒貼りや合掌張りしたチューブが使用できる。ラミネートの方法としては、接着剤を用いるドライラミネートや溶融させて共押出しするエクトリュージョンラミネート等が挙げられる。また、ガスバリアや遮光の目的で、アルミシート層やアルミ蒸着層、シリカ蒸着層を使用することも可能である。
【００４６】
包袋４を構成するフィルムの厚みとしては、特に制限はないが、あまりにも厚すぎると、本発明における刃状部品６でフィルムを突き破ることが困難になり、薄すぎると貯蔵、輸送時に包袋状のフィルムが破裂してしまう恐れがある。実質的な厚みとしては、１０〜３００μｍの範囲が良く、好適には５０〜２００μｍ、さらに好ましくは８０〜１２０μｍである。
【００４７】
また、本発明における接着剤用ケース１は、１液性のみならず、２液性の接着剤用ケースとしても使用可能である。接着剤用ケース１のシリンダーとしては、実質的に中空のものであれば良く、形状は自在に設計可能であるが、一般に普及しているディスペンサーの構造から鑑みて、略円筒状のものが好ましい。シリンダー部にはピストンを装填することも出来、この際には、摩擦抵抗を軽減し、包袋状のフィルムの噛み込みを防止する目的で、シリンダー内壁に長手方向に線条の溝を複数設けたり、表面を梨地処理、エンボス加工したりすることも可能である。
【００４８】
吐出口２はシリンダーの１端に設けられていることが必要であり、シリンダーと一体化しても良いが、シリンダーと分割できる構造になっている方が好ましい。この際、シリンダーへの接着剤１３の逆流を防ぐ目的で、吐出口２と接着剤１３の充填された包袋４は、適当なシール剤で密着させていることがより好ましい。本発明における接着剤用ケース１の材質としては、様々な種類が使用可能であり、紙、金属、プラスティック、繊維補強プラスティック、セラミック等が挙げられるが、経済性を考慮してプラスティック、紙が好ましく、射出成形プラスティックが最適である。
【００４９】
本発明における接着剤用ケース１の吐出口２に取り付けるノズル１０は、何ら制約を受けることはなく、市販にあるものや一般的な形状のものが使用可能である。２液性の接着剤用ケースの場合は、市販のスタティックミキサー等が使用出来る。いずれも嵌合部からの漏れの無いものを使用することが重要である。また、本発明における押し棒８の一端がノズル１０の取り付け動作と連動するように、ノズル１０の内壁の一部に前述のような水平段差１２等の平坦な肩部を設けておくか、そのような形状を有するノズルを選択することが重要な要素となる。
【００５０】
以上、実施例が示すように、接着剤用ケース１は、ノズル１０取り付けの動作に連動して作用する刃状部品６が、吐出口２の断面積以上にフィルムを突き破り、破れたフィルムからなる破断片４ａが吐出口２に入り込むのを防ぎ、押し棒８が支え棒の役割を果たして開口部の面積を維持するので吐出抵抗を低下させると共にそれを維持するので、作業性を著しく改善した接着剤用ケース１を構成することが可能である。
【００５１】
尚、用いられる接着剤１３の種類としては、有機系としてエポキシ樹脂やビニルエステル樹脂、シリコン変性樹脂、ウレタン変性樹脂、フェノール樹脂、メラミン樹脂、ユリア樹脂、キシレン樹脂、アルキッド樹脂、不飽和ポリエステル樹脂、アクリル樹脂、ポリイミド樹脂、フラン樹脂、シアノアクリレート樹脂等がある。また、無機系としてはセメントモルタル、モルタル、エポキシモルタルなどがあり、それぞれ被着体の種類や用途によって使い分けられている。
【産業上の利用可能性】
【００５２】
本発明の接着剤用ケースは、建築、土木、医療、エレクトロニクス、機械工業、粉体工業、金属加工などあらゆる分野に於て、種々の接着剤を包袋状のフィルムを装填して使用する接着剤用ケースとして、接着剤を吐出、混合する場合に好適に利用出来るものである。
【図面の簡単な説明】
【００５３】
【図１】本発明に係る接着剤用ケースの要部の断面説明図である。
【図２】接着剤用ケース内に収納された接着剤を取り出す状態の要部の断面説明図である。
【符号の説明】
【００５４】
１      ・・・接着剤用ケース
２      ・・・吐出口
３      ・・・ネジ
４      ・・・包袋
４ａ    ・・・破断片
５      ・・・クリップ部
６      ・・・刃状部品
６ａ    ・・・切刃
７      ・・・収納凹所
７ａ    ・・・嵌入凹所
７ｂ    ・・・天井凹所
８      ・・・押し棒
９      ・・・Ｖ状切り込み
１０    ・・・ノズル
１１    ・・・ネジ
１２    ・・・水平段差
１３    ・・・接着剤
【図１】
2005320017.tif 000003
【図２】
2005320017.tif 000004